(57)【特許請求の範囲】
【請求項１】
主の情報処理装置に接続された複数の副の情報処理装置と、
前記主の情報処理装置から前記複数の副の情報処理装置を直列に接続する第一の通信ラインと、
前記複数の副の情報処理装置それぞれに備えられた、前記第一の通信ラインに対して並列に設けられた第二の通信ライン、および前記主の情報処理装置との通信状態に対応して前記第一の通信ラインと前記第二の通信ラインとを切り替える切替手段とを備え、
前記第一の通信ライン及び前記第二の通信ラインは、それぞれ前記情報処理装置にとって送信用ラインと受信用ラインの２ラインからなり、前記切替手段は該２ラインを同時に切り替える手段であることを特徴とする情報処理システム。
【請求項２】
主の情報処理装置に接続された複数の副の情報処理装置と、
前記主の情報処理装置から前記複数の副の情報処理装置を直列に接続する第一の通信ラインと、
前記複数の副の情報処理装置それぞれに備えられた、前記第一の通信ラインに対して並列に設けられた第二の通信ライン、および前記主の情報処理装置との通信状態に対応して前記第一の通信ラインと前記第二の通信ラインとを切り替える切替手段とを備え、
前記主の情報処理装置と前記複数の各副の情報処理装置とを並列に接続する専用信号線を有し、
前記主の情報処理装置が、前記複数の副の情報処理装置のうちの通信対象とする副の情報処理装置と直接通信できるように、該副の情報処理装置と前記主の情報処理装置との間に接続された各副の情報処理装置における前記切替手段が、前記主の情報処理装置から前記第一の通信ラインによって送信される開始通知により、前記第一の通信ラインから前記第二の通信ラインへ切り替え、前記主の情報処理装置から前記専用信号線によって送信される終了通知によって、該第二の通信ラインから前記第一の通信ラインへ切り替えることを特徴とする情報処理システム。
【請求項３】
前記主の情報処理装置が画像形成装置本体であり、
前記複数の副の情報処理装置が、それぞれ前記画像形成装置本体からの指示に応じた特定の処理を実行する周辺装置であることを特徴とする請求項１又は２に記載の情報処理システム。
【請求項４】
請求項１に記載の情報処理システムにおいて、
前記主の情報処理装置と前記複数の各副の情報処理装置とを並列に接続する専用信号線を有し、
前記主の情報処理装置が、前記複数の副の情報処理装置のうちの通信対象とする副の情報処理装置と直接通信できるように、該副の情報処理装置と前記主の情報処理装置との間に接続された各副の情報処理装置における前記切替手段が、前記主の情報処理装置から前記第一の通信ラインによって送信される開始通知により、前記第一の通信ラインから前記第二の通信ラインへ切り替え、前記主の情報処理装置から前記専用信号線によって送信される終了通知によって、該第二の通信ラインから前記第一の通信ラインへ切り替えることを特徴とする情報処理システム。
【請求項５】
前記主の情報処理装置と前記通信対象とする副の情報処理装置との通信がデータをダウンロードするための通信であり、前記開始通知がダウンロードの開始通知であり、前記終了通知がダウンロードの終了通知であることを特徴とする請求項２又は４に記載の情報処理システム。
【請求項６】
主の情報処理装置と通信可能な制御部を有する副の情報処理装置であって、
前記主の情報処理装置又は該主の情報処理装置に接続される他の副の情報処理装置と接続可能な第一の入出力部と、
前記他の副の情報処理装置とは別の副の情報処理装置と接続可能な第二の入出力部と、
前記第一の入出力部と前記第二の入出力部とを、前記制御部を介して接続する第一の通信ラインと、
前記第一の入出力部と前記第二の入出力部とを、前記制御部を介さずに接続可能な第二の通信ラインと、
前記主の情報処理装置との通信状態に対応して、前記第一の通信ラインと前記第二の通信ラインとを切り替える切替手段とを備え、
前記第一の通信ライン及び前記第二の通信ラインは、それぞれ送信用ラインと受信用ラインの２ラインからなり、前記切替手段は該２ラインを同時に切り替える手段であることを特徴とする情報処理装置。
【請求項７】
前記主の情報処理装置が画像形成装置本体であり、
前記副の情報処理装置が、前記画像形成装置本体からの指示に応じた特定の処理を実行する周辺装置であることを特徴とする請求項６に記載の情報処理装置。
【請求項８】
前記周辺装置が、前処理装置又は後処理装置又は原稿処理装置であることを特徴とする請求項７に記載の情報処理装置。
【発明の詳細な説明】
【技術分野】
【０００１】
この発明は、情報処理システム及び情報処理装置に関する。
【背景技術】
【０００２】
従来、例えば図８に示すように、画像形成装置のような情報処理装置１００に対して、他の複数の情報処理装置である周辺装置Ａ，Ｂ，Ｃを通信ライン７０によって直列に接続して、画像処理システム等の情報処理システムを構成することが知られている。
例えば、特許文献１には、画像形成装置に複数の後処理装置を直列に接続した画像形成システムにおいて、画像形成装置と各後処理装置とを直列に接続する第１の通信回線と、画像形成装置から各後処理装置に対して他の後処理装置を介さないでデータ送信を行うための第２の通信回線とを設け、スイッチによってその通信経路を切り替えることが開示されている。
【発明の概要】
【発明が解決しようとする課題】
【０００３】
しかしながら、このような従来の画像処理システムでは、画像形成装置から後処理装置への送信処理のみしか高速化できないため、データのダウンロードを行う場合などに時間がかかってしまうという問題があった。
【０００４】
この発明は、このような背景に鑑みてなされたものであり、主の情報処理装置に複数の副の情報処理装置が直列に接続された情報処理システムにおいて、データのダウンロードなどを行う場合に、タイムロスを少なくすることを目的とする。
【課題を解決するための手段】
【０００５】
この発明による情報処理システムは、上記の目的を達成するため、主の情報処理装置に接続された複数の副の情報処理装置と、上記主の情報処理装置から上記複数の副の情報処理装置を直列に接続する第一の通信ラインと、上記複数の副の情報処理装置それぞれに備えられた、上記第一の通信ラインに対して並列に設けられた第二の通信ライン、および上記主の情報処理装置との通信状態に対応して上記第一の通信ラインと上記第二の通信ラインとを切り替える切替手段とを備え、上記第一の通信ライン及び上記第二の通信ラインは、それぞれ上記情報処理装置にとって送信用ラインと受信用ラインの２ラインからなり、上記切替手段は該２ラインを同時に切り替える手段であることを特徴とする。
【発明の効果】
【０００６】
この発明による情報処理システムは、主の情報処理装置に複数の副の情報処理装置が直列に接続された情報処理システムにおいて、データのダウンロードなどを行う場合に、タイムロスを少なくすることができる。
【図面の簡単な説明】
【０００７】
【図１】この発明による情報処理システムの一実施形態における第一の通信ラインによる通常制御通信の状態を示すシステム構成図である。
【図２】同じくその情報処理システムにおいて情報処理装置１０と周辺装置３とが直接通信する状態を示すシステム構成図である。
【図３】図１における周辺装置１の詳細を示す構成図である。
【図４】同じくその周辺装置１の図２と同様な切り替え状態を示す構成図である。
【図５】図１及び図２に示した情報処理システムによる情報処理装置１０から周辺装置２又は３へのダウンロードの処理の流れを示すフローチャートである。
【図６】この発明による情報処理システムに使用する周辺装置の他の例の図４に対応する切り替え状態を示す構成図である。
【図７】この発明による情報処理システムに使用する周辺装置のさらに他の例の図４に対応する切り替え状態を示す構成図である。
【図８】従来の情報処理システムの一例を示すシステム構成図である。
【発明を実施するための形態】
【０００８】
以下、この発明を実施するための形態を図面に基づいて具体的に説明する。
図１は、この発明による情報処理システムの一実施形態における第一の通信ラインによる通常制御通信の状態を示すシステム構成図であり、図２はその情報処理装置１０と周辺装置３とが直接通信する状態を示すシステム構成図である。
【０００９】
この図１及び図２に示す情報処理システムは、主の情報処理装置である情報処理装置１０に、複数の副の情報処理装置である周辺装置１〜３が接続されている。周辺装置１〜３は、それぞれ情報処理装置１０からの指示に応じた特定の処理を実行する装置であリ、周辺機とも称される。周辺装置の数は３台に限るものではなく、２台以上であれば何台でもよいが、この例では便宜上３台の場合で説明する。また、この例では周辺装置１〜３の通信速度を示す最高速ボーレートが、それぞれ９６００、３８４００、３８４００であるものとする。
【００１０】
情報処理装置１０から周辺装置１〜３を第一の通信ライン７によって直列に接続している。
複数の副の情報処理装置である周辺装置１〜３は、この発明に関する部分のみを図示しており、その構成は同じである。但し、各周辺装置特有の機能を果すための構成は省略している。すなわち、周辺装置１〜３はいずれもＣＰＵ１１を有している。このＣＰＵ１１は、中央処理装置とそのプログラムを格納したＲＯＭ及びデータ記憶用のＲＡＭ等を備えたマイクロコンピュータによる制御部である。周辺装置１〜３の各ＣＰＵ１１は、第一の通信ライン７によって情報処理装置１０に対して直列に接続される。
【００１１】
各周辺装置１〜３はさらに、それぞれ第一の通信ライン７に対して並列に設けられた第二の通信ライン１２、および切替手段である切替スイッチ１３〜１６を備えている。切替スイッチ１３〜１６は、情報処理装置１０と周辺装置１〜３のいずれかとの通信状態に対応して、第一の通信ライン７と第二の通信ライン１２とを切り替える
第一の通信ライン７は、情報処理装置１０からみて送信用ライン７ａと受信用ライン７ｂの２ラインからなり、第二の通信ライン１２も同様に、送信用ライン１２ａと受信用ライン１２ｂの２ラインからなる。
【００１２】
そして、ＣＰＵ１１の入力側の第一の通信ライン７と第二の通信ライン１２の送信用ライン７ａと１２ａの間に切替スイッチ１３が、受信用ライン７ｂと１２ｂの間に切替スイッチ１４が設けられている。また、ＣＰＵ１１の出力側の第一の通信ライン７と第二の通信ライン１２の送信用ライン７ａと１２ａの間に切替スイッチ１５が、受信用ライン７ｂと１２ｂの間に切替スイッチ１６が設けられている。
【００１３】
切替手段である切替スイッチ１３〜１６は連動して、第一の通信ライン７と第二の通信ライン１２のそれぞれ２ラインを同時に切り替えることができる。
この実施形態ではさらに、情報処理装置１０と各周辺装置１〜３とを専用信号線８によって並列に接続している。各周辺装置１〜３のＣＰＵ１１は、それぞれその専用信号線８に接続している。
【００１４】
図３は図１における周辺装置１の詳細を示す構成図であり、図４は同じくその周辺装置１の図２と同様な切り替え状態を示す構成図である。
この周辺装置１は、主の情報処理装置１０と通信可能な制御部であるＣＰＵ１１を有する副の情報処理装置である。そして、情報処理装置１０又はその情報処理装置１０に接続される他の周辺装置と接続可能な第一の入出力部１７と、該他の周辺装置とは別の周辺装置と接続可能な第二の入出力部１８とを備えている。
【００１５】
そして、その第一の入出力部１７と第二の入出力部１８とを、制御部であるＣＰＵ１１を介して接続する第一の通信ライン７と、第一の入出力部１７と第二の入出力部１８とを、ＣＰＵ１１を介さずに接続可能な第二の通信ライン１２とを備えている。
第一の通信ライン７は、情報処理装置１０からみて送信用ライン７ａと受信用ライン７ｂの２ラインからなり、第二の通信ライン１２も同様に、送信用ライン１２ａと受信用ライン１２ｂの２ラインからなる。
【００１６】
さらに、前述したように、情報処理装置１０との通信状態に対応して、第一の通信ライン７と第二の通信ライン１２とを切り替える切替手段である切替スイッチ１３〜１６を備えている。その切替スイッチ１３〜１６の各配置は前述したとおりである。
他の周辺装置２，３の構成も、この周辺装置１の構成と同じである。
【００１７】
前述した情報処理システムにおいて、図１に示す通常制御通信の状態では、周辺装置１〜３内の各切替手段である切替スイッチ１３〜１６は、いずれも通信ラインを第一の通信ライン７に切り替えている。したがって、情報処理装置１０は周辺装置１とは直接通信できるが、周辺装置２とは周辺装置１を通して通信し、周辺装置３とは周辺装置１と２を通して通信することになる。
この通常制御通信の状態は、図６に示した従来の情報処理システムによる通信状態と同様である。
【００１８】
この場合、情報処理装置１０が周辺装置３と通信を行う場合を考えると、情報処理装置１０と周辺装置３との間に、周辺装置１と周辺装置２が直列に接続されているため、送信データ及び受信データが周辺装置１，２のＣＰＵ１１を経由することになる。その際、その各周辺装置１，２における通信時間と処理時間によるタイムロスが生じてしまう。
さらに、情報処理装置１０から周辺装置３にデータをダウンロードする場合、ダウンロード対象機である周辺装置３の最高速ボーレートが３８４００であるのに対し、周辺装置１の最高速ボーレートが９６００である。そのため、周辺装置３の最高速ボーレートでのダウンロードを行うことができない。
【００１９】
このように、この通常制御通信では、ダウンロード時のボーレートがダウンロード対象の周辺装置より上流側に接続されている他の周辺装置のボーレートに依存してしまう。
そのため、ダウンロード対象の周辺装置の最高速ボーレートより上記他の周辺装置の最高速ボーレートの方が低い場合、その低い方のボーレートでしかダウンロードできなくなる。
【００２０】
そこで、情報処理装置１０が周辺装置３と通信を行う場合に、図２に示すように、周辺装置１と周辺装置２の切替スイッチ１３〜１６が、それぞれ周辺装置内部の送信ライン及び受信ラインを、いずれも第一の通信ライン７から第二の通信ライン１２に切り替える。
この通信状態では、情報処理装置１０と周辺装置３とが、周辺装置１及び２外の第一の通信ライン７と周辺装置１及び２内の第二の通信ライン１２とによって接続され、１対１で直接通信を行うことができる。そのため、周辺装置１，２における通信時間と処理時間によるタイムロスが生じることがなくなる。
【００２１】
したがって、情報処理装置１０から周辺装置３にデータをダウンロードする場合、他の周辺装置１，２の最高速ボーレートに依存することなく、ダウンロード対象機である周辺装置３の最高速ボーレート３８４００でダウンロードを行うことができる。
【００２２】
情報処理装置１０が周辺装置２と通信を行う場合には、周辺装置１の切替スイッチ１３〜１６が、その周辺装置１の内部の送信ライン及び受信ラインを、いずれも第一の通信ライン７から第二の通信ライン１２に切り替えればよい。この場合も、情報処理装置１０と周辺装置２とが、周辺装置１外の第一の通信ライン７と周辺装置１内の第二の通信ライン１２とによって接続され、１対１で直接通信を行うことができる。
したがって、情報処理装置１０から周辺装置２にデータをダウンロードする場合、ダウンロード対象機である周辺装置２の最高速ボーレート３８４００でダウンロードを行うことができる。
【００２３】
ここで、各周辺装置１〜３における切替手段である切替スイッチ１３〜１６の切り替え制御について説明する。その切替スイッチ１３〜１６の切り替え制御は、この実施形態では各周辺装置１〜３内の制御部であるＣＰＵ１１が行う。
情報処理装置１０が、複数の周辺装置１〜３のうちの周辺装置２又は３を通信対象として直接通信する際には、その通信対象の周辺装置２又は３と情報処理装置１０との間に接続された周辺装置１又は１と２に対して、第一の通信ライン７によって開始通知を送信する。
【００２４】
その開始通知を周辺装置１又は１と２のＣＰＵ１１が受信すると、その各ＣＰＵ１１が該周辺装置内の切替スイッチ１３〜１６を連動して同時に切り替え、該周辺装置内の送信ライン及び受信ラインを第一の通信ライン７から第二の通信ライン１２へ切り替える。
それによって、前述したように、情報処理装置１０と通信対象の周辺装置２又は３とが、１対１で直接通信できるようになる。
【００２５】
また、情報処理装置１０が、通信対象の周辺装置２又は３との直接通信を終了したときには、その通信対象の周辺装置と情報処理装置１０との間に接続された各周辺装置１又は１と２に対して、専用信号線８によって終了通知を送信する。
その終了通知を周辺装置１又は１と２のＣＰＵ１１が受信すると、その各ＣＰＵ１１が該周辺装置内の切替スイッチ１３〜１６を連動して同時に切り替え、該周辺装置内の送信ライン及び受信ラインを第二の通信ライン１２から第一の通信ライン７へ切り替える。
それによって、図１に示した通常制御通信の状態に復帰する。
【００２６】
情報処理装置１０と通信対象とする周辺装置２又は３との通信がデータをダウンロードするための通信である場合は、上記開始通知をダウンロードの開始通知とし、上記終了通知をダウンロードの終了通知とする。
【００２７】
ここで、図１及び図２に示した情報処理システムによる情報処理装置１０から周辺装置２又は３へのダウンロードの処理の流れを、図５に示すフローチャートによって説明する。
このフローチャートは、情報処理装置１０の制御部と周辺装置１〜３の各制御部であるＣＰＵ１１による処理を便宜上まとめて示している。
【００２８】
この情報処理システムは、電源起動すると図５に示す処理を開始し、ステップＳ１で、図１に示した状態で第一通信ライン７による通常制御通信を行う。
そして、ステップＳ２で情報処理装置１０の制御部が周辺装置２へのダウンロード要求があるか否かを判断し、周辺装置２へのダウンロード要求があった場合はステップＳ４へ進み、なかった場合はステップＳ３へ進む。ステップＳ３では周辺装置３へのダウンロード要求があるか否かを判断し、周辺装置３へのダウンロード要求があった場合はステップＳ１０へ進み、なかった場合はステップＳ１へ戻る。したがって、周辺装置２又は３へのダウンロード要求があるまでは、ステップＳ１の通常制御通信を継続する。
【００２９】
ステップＳ２で、周辺装置２へのダウンロード要求があってステップＳ４へ進むと、情報処理装置１０の制御部が、第一の通信ライン７によって周辺装置１に開始通知を送信する。それによって、ステップＳ５で周辺装置１のＣＰＵ１１がその開始通知を受けて、切替スイッチ１３〜１６を切り替え動作させ、周辺装置１内の通信ラインを第二の通信ライン１２に切り替える。
そして、ステップＳ６で情報処理装置１０と周辺装置２とが直接通信して、周辺装置２にダウンロードを開始する。そして、ステップＳ７で情報処理装置１０の制御部が周辺装置２のダウンロードが完了したと判断するまで、ステップＳ６で周辺装置２のダウンロードを継続する。
【００３０】
ステップＳ７で周辺装置２のダウンロードが完了したと判断すると、ステップＳ８で情報処理装置１０の制御部が、専用信号線８によって周辺装置１に終了通知を送信する。それによって、ステップＳ９で周辺装置１のＣＰＵ１１がその終了通知を受けて、切替スイッチ１３〜１６を切り替え動作させ、周辺装置１内の通信ラインを第一の通信ライン７に切り替える。そしてステップＳ１へ戻って通常制御通信に復帰する。
【００３１】
ステップＳ３で、周辺装置３へのダウンロード要求があってステップＳ１０へ進むと、情報処理装置１０の制御部が、第一の通信ライン７によって周辺装置１，２に開始通知を送信する。それによって、ステップＳ１１で周辺装置１，２のＣＰＵ１１がその開始通知を受けて、切替スイッチ１３〜１６を切り替え動作させ、周辺装置１，２内の通信ラインを第二の通信ライン１２に切り替える。
そして、ステップＳ１２で情報処理装置１０と周辺装置３とが直接通信して、周辺装置３にダウンロードを開始する。そして、ステップＳ１３で情報処理装置１０の制御部が周辺装置３のダウンロードが完了したと判断するまで、ステップＳ１２で周辺装置３のダウンロードを継続する。
【００３２】
ステップＳ１３で周辺装置３のダウンロードが完了したと判断すると、ステップＳ１４で情報処理装置１０の制御部が、専用信号線８によって周辺装置１，２に終了通知を送信する。それによってステップＳ１５で周辺装置１，２のＣＰＵ１１が、その終了通知を受けて切替スイッチ１３〜１６を切り替え動作させ、周辺装置１，２内の通信ラインを第一の通信ライン７に切り替える。そして、ステップＳ１へ戻って通常制御通信に復帰する。
その後は、電源が遮断されるまで、上述したステップＳ１〜Ｓ１５の処理を繰り返す。
【００３３】
このようにして、情報処理装置１０から周辺装置２又は３にデータをダウンロードする場合、情報処理装置１０とダウンロード対象の周辺装置２又は３とが、１対１で直接通信を行うことができる。そのため、ダウンロード対象の周辺装置２又は３より上流側に接続されている周辺装置１又は１と２における通信時間と処理時間によるタイムロスが生じることがなくダウンロードできる。
また、情報処理装置１０から周辺装置２又は３にデータをダウンロードする場合、その上流側に接続されている周辺装置の最高速ボーレートに依存することなく、ダウンロード対象機である周辺装置２又は３の最高速ボーレートでダウンロードを行うことができる。
【００３４】
上述した実施形態では、情報処理装置１０の制御部が専用信号線８によって周辺装置１，２に終了通知を送信することによって、周辺装置１，２のＣＰＵ１１が切替スイッチ１３〜１６を切り替え動作させて、内部の通信ラインを第一の通信ライン７に切り替える。
しかし、専用信号線８は必須ではない。例えば、次のようにすれば、情報処理装置１０が専用信号線８を使用せずに必要な各周辺装置に終了通知を送信して、その各ＣＰＵによって各スイッチを動作させ、内部の通信ラインを第一の通信ラインに切り替えるさせることができる。
【００３５】
図６は、この発明による情報処理システムに使用する周辺装置の他の例の図４に対応する切り替え状態を示す構成図である。
この図６に示す副の情報処理装置である周辺装置Ｍは、内部の第二の通信ライン１２とＣＰＵ１１とを接続する通信ライン設け、図３及び図４に示した専用信号線８は設けていない。
この周辺装置Ｍを複数台、第一の通信ライン７によって前述した主の情報処理装置１０から直列に接続して、情報処理システムを構成することができる。
【００３６】
その場合、情報処理装置１０と通信対象の周辺装置との間に接続された周辺装置ＭのＣＰＵ１１が、自装置内の第二の通信ライン１２上でのデータの遣り取りを監視する。そして、データの遣り取りが終了したと判断したときに、前述の終了通知を受信したときと同様に、切替スイッチ１３〜１６を動作させて、内部の通信ラインを第一の通信ラインに復帰させることができる。
【００３７】
図７は、この発明による情報処理システムに使用する周辺装置のさらに他の例の図４に対応する切り替え状態を示す構成図である。
この図７に示す副の情報処理装置である周辺装置Ｎは、第一の入出力部１７側の切替スイッチ１３、１４を省略している。そして、第一の通信ライン７の送信用ライン７ａ及び受信用ライン７ｂと、第二の通信ライン１２の送信用ライン１２ａ及び受信用ライン１２ｂとをそれぞれ直接接続している。また、図７の周辺装置Ｍと同様に、専用信号線８は設けていない。
【００３８】
この周辺装置Ｎを複数台、第一の通信ライン７によって前述した主の情報処理装置１０から直列に接続して、情報処理システムを構成することができる。
その場合、情報処理装置１０と通信対象の周辺装置との間に接続された周辺装置Ｎは、切替スイッチ１５，１６が図７に示すように第二の信号線１２側に切り替っている状態でも、ＣＰＵ１１が第一の信号線７を通して情報処理装置１０からのデータを受信できる。
【００３９】
そこで、「ダウンロード完了時の通信データ」を設定しておき、それを周辺装置Ｎ内のＣＰＵ１１が受信したときに、切替スイッチ１１５，１６を動作させて、内部の通信ラインを第一の通信ラインに復帰させることができる。
しかし、情報処理装置１０が「ダウンロード完了時の通信データ」を送信する際、切り替え対象の周辺装置Ｍの通信ボーレートに切り替えてから、それを送信しなければならないという制約がある。
【００４０】
上述した各実施形態の説明において、主の情報処理装置１０はデジタル複写機やデジタル複合機等の画像形成装置本体であってもよい。その場合、副の情報処理装置である周辺装置１〜３は、画像形成装置本体からの指示に応じた特定の処理を実行する周辺装置、例えば前処理装置又は後処理装置又は原稿処理装置などである。
前処理装置は、例えば、画像形成に使用する用紙等の記録媒体の改質処理や除電処理等を行い、その記録媒体を画像形成装置本体へ自動給送する装置である。後処理装置は、例えば画像が形成された記録媒体の仕分け、ソート、ステイプル止め等を行う装置や、コーティングを行う装置等である。原稿処理装置は、例えば複写用原稿を読み取り位置へ自動給送したり、表裏を反転したりする装置である。
【００４１】
主の情報処理装置１０は、パーソナルコンピュータや、各種の専用データ処理装置等でもよい。その場合は、複数の副の情報処理装置は、それぞれそのパーソナルコンピュータ等の情報処理装置からの指示によって特定の処理を行う周辺装置である。
【００４２】
以上、この発明の実施形態について説明してきたが、この発明による情報処理システム及び情報処理装置は、それらに限るものではない。その構成は、特許請求の範囲の各請求項に規定した事項を満たす範囲で、各実施形態の構成を適宜変更、追加又は省略したり、組み合わせたりすることが可能であることは勿論である。
【符号の説明】
【００４３】
１〜３，Ｍ，Ｎ：周辺装置（副の情報処理装置）    ７：第一の通信ライン    
７ａ：送信用ライン    ７ｂ：受信用ライン    ８：専用信号線    
１０：情報処理装置（主の情報処理装置）    １１：ＣＰＵ（制御部）
１２：第二の通信ライン    １２ａ：送信用ライン    １２ｂ：受信用ライン
１３〜１６：切替スイッチ（切替手段)    １７：第一の入出力部
１８：第二の入出力部    ７０：通信ライン    １００：情報処理装置
【先行技術文献】
【特許文献】
【００４４】
【特許文献１】特開２００６−３０２５８号公報
【図１】
0006488796.tif 000002
【図２】
0006488796.tif 000003
【図３】
0006488796.tif 000004
【図４】
0006488796.tif 000005
【図５】
0006488796.tif 000006
【図６】
0006488796.tif 000007
【図７】
0006488796.tif 000008
【図８】
0006488796.tif 000009